(57)【要約】      （修正有）【課題】コップ又は鍋の底面の多様な寸法の形状に対応できるパッド体を提供する。【解決手段】折り曲げ可能な少なくとも１つの本体１２を備え、本体は、相互に離れている第１の端１４と第２の端１６、及び対向した２つの側面１８を含み、本体の第２の端に少なくとも１つの結合部３０が設けられ、本体の少なくとも一方の側面から複数のパッドブロック３２が延出される。少なくとも１つのパッドブロック３２の周縁上に凹孔３４を設ける。本体の第２の端を第１の端へ折り曲げると、結合部を凹孔３４に結合することにより位置決めることができる。パッド体は、放置物の寸法又は種類の違いに応じて複数の寸法及び／又は造形の変化が行われることができる。【選択図】図２
0003171372.tif 000002
【実用新案登録請求の範囲】
【請求項１】
折り曲げ可能な少なくとも１つの本体を備え、前記本体は、相互に離れている第１の端と第２の端、及び対向した２つの側面を含み、前記本体の第２の端に少なくとも１つの結合部が設けられ、前記本体の少なくとも一方の側面から複数のパッドブロックが延出され、少なくとも１つのパッドブロックの周縁上に凹孔が設けられ、前記本体の第２の端が第１の端へ折り曲げられると、前記少なくとも１つの結合部が凹孔に結合され位置決めされることを特徴とするパッド体。
【請求項２】
前記本体の第１の端から円弧状の頭部が延出され、前記頭部内に凹溝と、寸法が前記凹溝内に収容可能な外端とがそれぞれ設けられ、前記頭部の両側面に凹部と寸法又は外形が前記凹部内に収容可能な凸部とがそれぞれ設けられていることを特徴とする請求項１に記載のパッド体。
【請求項３】
前記少なくとも１つの本体は、第１及び第２の本体を含み、前記第１の本体の頭部の外端は、前記第２の本体の頭部の凹溝内に収容され、前記第１の本体の頭部の凸部は、前記第２の本体の頭部の凹部内に収容されることを特徴とする請求項２に記載のパッド体。
【請求項４】
前記少なくとも１つの本体は、第１、第２及び第３の本体を含み、前記第１の本体の頭部の外端は、前記第２の本体の頭部の凹溝内に収容され、前記第１の本体の頭部の凸部は、前記第２の本体の頭部の凹部内に収容され、前記第２の本体の頭部の外端は、前記第３の本体の頭部の凹溝内に収容され、前記第２の本体の頭部の凸部は、前記第３の本体の頭部の凹部内に収容され、前記第３の本体の頭部の外端は、前記第１の本体の頭部の凹溝内に収容され、前記第３の本体の頭部の凸部は、前記第１の本体の頭部の凹部内に収容されることを特徴とする請求項２に記載のパッド体。
【考案の詳細な説明】
【技術分野】
【０００１】
本考案は、パッド体に関し、特に滑り止めパッド、断熱パッドとしてのパッド体に関するものである。
【背景技術】
【０００２】
滑り止めパッド又は断熱パッドは、従来より広く使われており、例えば熱いお茶が入ったコップ又は熱湯が入った鍋具が放置される。しかしながら、従来の滑り止めパッド又は断熱パッドは、プラスチック材料又は布質材料からなることが多いため、滑り止め効果及び断熱効果が限られている。さらに、寸法又は種類の異なる放置物が放置されるために、ユーザは、寸法の異なる複数のテーブルパッドを購入しなければならない。また、従来の滑り止めパッド又は断熱パッドは、パターンの付加により装飾の美感が増加するが、パターンの装飾効果があまりにも一般的過ぎる。
【０００３】
従って、利便性の効果及び装飾の美感を兼ね持つ、滑り止めパッド及び断熱パッドとしてのパッド体としては、やはり工夫して設計する必要がある。
【考案の概要】
【０００４】
そこで、本考案は、上述した課題を解決するたに、滑り止めパッド及び／又は断熱パッドとして適宜に使用され、放置物の寸法又は種類の違いに応じて、適当な寸法又は造形に巻回可能であり、マルチ寸法の使用効果及び装飾美感を兼ね持つパッド体を提供することを目的とする。
【課題を解決するための手段】
【０００５】
本考案に係るパッド体は、折り曲げ可能な少なくとも１つの本体を備え、本体は、相互に離れている第１の端と第２の端、及び対向した２つの側面を含み、本体の第２の端に少なくとも１つの結合部が設けられ、本体の少なくとも一方の側面から複数のパッドブロックが延出され、少なくとも１つのパッドブロックの周縁上に凹孔が設けられている。本体の第２の端を第１の端へ折り曲げると、該少なくとも１つの結合部を凹孔に結合することにより位置決めすることができ、パッド体が滑り止めパッド及び／又は断熱パッドとして適用され、コップ又は鍋具等の物品が放置されることが可能となる。
【考案の効果】
【０００６】
本考案に係るパッド体によれば、使用の必要に応じて適当な寸法に巻回するとともに複数の造形変化を実現することができるため、寸法又は種類の異なる放置物の放置が容易となる。
【図面の簡単な説明】
【０００７】
【図１】本考案に係る一実施例のパッド体の展開立体図を示す。
【図２】図１のパッド体が折り曲げられた後の模式図を示す。
【図３】コップが図２のパッド体に放置される様子の模式図を示す。
【図４】本考案に係る他の実施例のパッド体の模式図を示す。
【図５】コップが図４のパッド体上に放置される様子の模式図を示す。
【図６】図４のパッド体の他の実施状態の模式図を示す。
【考案を実施するための形態】
【０００８】
図１ないし図３は、本考案に係る一実施例のパッド体１０を示す。パッド体１０は、折り曲げ可能なストリップ状本体１２を含み、この実施例において、本体１２は、例えばシリコンゴム又は発泡合成ゴム等の可撓性材料からなる。本体１２は、長手方向に沿って隔てられた第１の端１４、第２の端１６、及び厚さ方向に沿って対向した２つの側面１８を含む。本体１２の第１の端１４からは、円弧状の頭部２０が延出され、頭部２０内には、凹溝２２と、寸法が凹溝２２内に収容可能な外端２４とがそれぞれ設けられている。さらに、頭部２０の両側面１８には、凹部２６と寸法又は外形が凹部２６内に収容可能な凸部２８とがそれぞれ設けられている。本体１２の上には、少なくとも１つの突出した結合部３０がさらに設けられている。この実施例においては、３つの結合部３０が本体１２の第２の端１６上に設けられている。
【０００９】
パッド体１０は、さらに複数のパッドブロック３２を含み、それらのパッドブロック３２は、本体１２の２つの側面１８から延在され、少なくとも１つのパッドブロック３２の周縁上に凹孔３４が設けられている。この実施例において、本体１２の２つの側面１８に複数のパッドブロック３２がそれぞれ延在され、それらのパッドブロック３２は、円状となっており、それらのパッドブロック３２の周縁は、本体１２から離れる一端に凹孔３４が設けられ、凹孔３４は、結合部３０が挿入されるための外形及び寸法を有する。
【００１０】
図２は、本体１２の第２の端１６が第１の端１４へ折り曲げられ、いずれか１つの結合部３０がいずれか１つのパッドブロック３２の凹孔３４に結合され位置決めされることにより、滑り止めパッド、断熱パッドとして適用可能なパッド体が構成される。図３に示すように、パッド体１０にはコップ３６が放置される。
【００１１】
図４及び図５は、本考案に係る他の実施例のパッド体１０を示す。パッド体１０は、折り曲げ可能な３つの第１、第２及び第３の本体１２ａ、１２ｂ、１２ｃを含み、第１の本体１２ａの頭部２０の外端２４は、第２の本体１２ｂの頭部２０の凹溝２２内に収容され、第１の本体１２ａの頭部２０の凸部３０は、第２の本体１２ｂの頭部２０の凹部３４内に収容され、第２の本体１２ｂの外端２４は、第３の本体１２ｃの凹溝内に収容され、第２の本体１２ｂの凸部３０は、第３の本体１２ｃの凹部３４内に収容され、第３の本体１２ｃの外端２４は、第１の本体１２ａの凹溝２２内に収容され、第３の本体１２ｃの凸部３０は、第１の本体１２ａの頭部の凹部３４内に収容される。さらに、それらの本体１２ａ、１２ｂ、１２ｃの第２の端１６が第１の端１４へ折り曲げられ、いずれか２つの結合部３０がいずれか２つのパッドブロック３２の凹孔３４に結合され位置決めされることにより、それらの本体１２ａ、１２ｂ、１２ｃ上にはコップ３６が放置されることが可能となる。
【００１２】
図６は、図４のパッド体１０のそれらの本体１２ａ、１２ｂ、１２ｃの第２の端１６を角度造形が折り曲げられるように工夫することにより、第１の本体１２ａのいずれか１つの結合部３０が第３の本体１２ｃのいずれか１つのパッドブロック３２の凹孔３４に結合され、第２の本体１２ｂのいずれか１つの結合部３０が第１の本体１２ａのいずれか１つの凹孔３４に結合され、第３の本体１２ｃのいずれか１つの結合部３０が第２の本体１２ｂのいずれか１つのパッドブロック３２の凹孔３４に結合されることで、パッド体１０が、鍋３８の放置に適用する造形体に形成される様子を示す。
【００１３】
以上のように、本考案では、折り曲げ可能な少なくとも１つの本体を備え、前記本体は、相互に離れている第１の端と第２の端、及び対向した２つの側面を含み、前記本体の第２の端に少なくとも１つの結合部が設けられ、前記本体の少なくとも一方の側面から複数のパッドブロックが延出され、少なくとも１つのパッドブロックの周縁上に凹孔が設けられ、前記本体の第２の端が第１の端へ折り曲げられると、前記少なくとも１つの結合部が凹孔に結合され位置決めされることを特徴とするパッド体とするものである。
【００１４】
また、前記本体の第１の端から円弧状の頭部が延出され、前記頭部内に凹溝と、寸法が前記凹溝内に収容可能な外端とがそれぞれ設けられ、前記頭部の両側面に凹部と寸法又は外形が前記凹部内に収容可能な凸部とがそれぞれ設けられているものとする。
【００１５】
また、前記少なくとも１つの本体は、第１及び第２の本体を含み、前記第１の本体の頭部の外端は、前記第２の本体の頭部の凹溝内に収容され、前記第１の本体の頭部の凸部は、前記第２の本体の頭部の凹部内に収容されるものとする。
【００１６】
また、前記少なくとも１つの本体は、第１、第２及び第３の本体を含み、前記第１の本体の頭部の外端は、前記第２の本体の頭部の凹溝内に収容され、前記第１の本体の頭部の凸部は、前記第２の本体の頭部の凹部内に収容され、前記第２の本体の頭部の外端は、前記第３の本体の頭部の凹溝内に収容され、前記第２の本体の頭部の凸部は、前記第３の本体の頭部の凹部内に収容され、前記第３の本体の頭部の外端は、前記第１の本体の頭部の凹溝内に収容され、前記第３の本体の頭部の凸部は、前記第１の本体の頭部の凹部内に収容されるものとする。
【産業上の利用可能性】
【００１７】
本考案に係るパッド体によれば、使用の必要に応じて適当な寸法に巻回するとともに複数の造形変化を実現することができるため、寸法又は種類の異なる放置物の放置が容易となる。
【符号の説明】
【００１８】
１０  パッド体
１２  本体
１４  第１の端
１６  第２の端
１８  側面
２０  頭部
２２  凹溝
２４  外端
２６  凹部
２８  凸部
３０  結合部
３２  パッドブロック
３４  凹孔
３６  コップ
３８  鍋
【図１】
0003171372.tif 000003
【図２】
0003171372.tif 000004
【図３】
0003171372.tif 000005
【図４】
0003171372.tif 000006
【図５】
0003171372.tif 000007
【図６】
0003171372.tif 000008